(57)【要約】【課題】アラーム機能付電波修正時計において、アラーム発生時にユーザが現在時刻を誤って認識したり、故障と勘違いしたりすることを抑制可能とする。【解決手段】計時回路１の計時時刻がアラーム時刻になると、制御回路４は時刻情報を含む長波標準電波の受信を行っているか判断し、受信中であれば報知部６からアラーム音を発生させる。この際、すなわちアラーム発生時は時刻情報を含む長波標準電波の受信を停止する。アラーム時刻に時刻情報を含む長波標準電波の受信を行っていない場合、制御回路４は時刻表示部８の表示時刻を修正中か否か判断し、修正中の場合には報知部６からのアラームを禁止して表示時刻の修正を継続させ、時刻表示部８の表示時刻を修正中の場合には報知部６からアラーム音を発生させる。【選択図】　　　図１
2004028671.tif 000002
【特許請求の範囲】
【請求項１】
複数の指針により現在時刻を表示する時刻表示部と、
時刻情報を含む信号を受信する受信部と、
上記受信部が受信した信号に含まれる上記時刻情報に基づき上記時刻表示部の表示時刻を修正する修正部と、
予め設定されたアラーム時刻になった際にアラーム出力を発生するアラーム部と、
上記受信部による上記時刻情報を含む信号の受信中に上記アラーム時刻となった場合には上記アラーム出力を行わせ、上記修正部による上記時刻表示部の表示時刻の修正中に上記アラーム時刻となった場合には上記アラーム出力を禁止する制御部と
を含むことを特徴とするアラーム機能付電波修正時計。
【請求項２】
請求項１において、上記指針の位置を修正するための操作部をさらに含み、上記修正部は、さらに上記操作部の操作に応じて上記時刻表示部の表示時刻を修正することを特徴とするアラーム機能付電波修正時計。
【発明の詳細な説明】
【０００１】
【発明の技術分野】
本発明は、アラーム機能付電波修正時計に関する。
【０００２】
【従来の技術】
現在、時刻情報を含む長波標準電波を受信し、受信した時刻情報に基づき表示時刻を修正する指針式の電波修正時計が実用化されている。このような、指針式電波修正時計の表示時刻の修正動作としては、時刻情報を含む長波標準電波を受信し、受信した長波標準電波から時刻情報を取得し、指針位置を取得した時刻情報に基づいた位置に運針して表示時刻を修正している。
【０００３】
アラーム機能付電波修正時計としては、例えば特開平６−１７４８６４号公報に記載のものがある。このアラーム機能付電波修正時計は、受信時および表示時刻修正時とアラーム出力が重複した際にアラーム出力を優先させるものである。また、特開２００１−４２０６３号公報には、受信時および表示時刻修正時にはアラーム出力を禁止するアラーム機能付電波修正時計が記載されている。
【０００４】
【発明が解決しようとする課題】
しかしながら、特開平６−１７４８６４号公報に記載のアラーム機能付電波修正時計では、時刻修正中にもアラーム出力が発生するので、例えば指針式のアラーム機能付電波修正時計では、指針位置を修正中、すなわち指針位置が現在時刻と異なる状態の際にアラーム出力が発生することになり、アラーム出力の発生に伴い指針による表示時刻を見たユーザが現在時刻を誤って認識したり、故障と勘違いしたりする可能性があった。
【０００５】
また、特開２００１−４２０６３号公報に記載のアラーム機能付電波修正時計では、受信時および時刻修正時にはアラームが出力されないので、例えば指針が現在時刻または現在時刻に近い時刻を表示している受信中にアラームが出力されず、表示時刻を確認したユーザがアラームの故障と勘違いしたりする可能性があった。
【０００６】
本発明の目的は、アラーム機能付電波修正時計において、アラーム発生時にユーザが現在時刻を誤って認識したり、故障と勘違いしたりすることを抑制可能とすることである。
【０００７】
【課題を解決するための手段】
本発明は、複数の指針により現在時刻を表示する時刻表示部と、時刻情報を含む信号を受信する受信部と、上記受信部が受信した信号に含まれる上記時刻情報に基づき上記時刻表示部の表示時刻を修正する修正部と、予め設定されたアラーム時刻になった際にアラームを出力するアラーム部と、上記受信部による上記時刻情報を含む信号の受信中に上記アラーム時刻となった場合には上記アラーム出力を行わせ、上記修正部による上記時刻表示部の表示時刻の修正中に上記アラーム時刻となった場合には上記アラーム出力を禁止する制御部とを含む。このような構成によれば、時刻情報を含む信号の受信中にアラーム時刻となった場合にはアラーム出力を行わせ、時刻表示部の表示時刻の修正中にアラーム時刻となった場合にはアラーム出力を禁止するので、時刻情報を含む信号の受信中および時刻修正中において、指針位置が定まらない状態のときだけアラームを禁止でき、ユーザが現在時刻を誤認識したり、故障と勘違いしてしまうことを防止できる。
【０００８】
上記指針の位置を修正するための操作部をさらに含み、上記修正部がさらに上記操作部の操作に応じて上記時刻表示部の表示時刻を修正する構成とすれば、上記の効果に加え、操作部の操作に応じて上記時刻表示部の表示時刻が修正される際にもアラーム出力を禁止するので、指針位置が定まらない状態のときだけアラームを禁止可能となり、ユーザが現在時刻を誤認識したり、故障と勘違いしてしまうことを防止できる。
【０００９】
【発明の実施の形態】
以下、本発明の実施の形態を図面に示す一実施例に基づき説明する。
【００１０】
図１において、計時部としての計時回路１は、不図示の発振回路の出力に基づいて現在時刻を計時する。アラーム時刻設定部としてのアラーム時刻記憶回路２は、設定されたアラーム時刻時刻を記憶する。受信部３は、時刻情報を含む長波標準電波を受信するアンテナ３ａと、受信した長波標準電波から時刻情報を取得して出力する受信回路３ｂを備える。修正部および制御部としての制御回路４は、ＣＰＵ、ＲＯＭ、ＲＡＭ等を備え、ＲＯＭに書き込まれた制御プログラムにしたがって種々の動作を制御する。制御回路４の動作の一例としては、計時回路１の計時時刻が後述する受信タイミング記憶回路７が記憶する受信タイミングである正時になると、制御回路４は受信回路３ｂに受信開始信号を出力して受信回路３ｂを起動させ、受信部３が時刻情報を含む長波標準電波の受信を開始し、受信した長波標準電波から時刻情報を取得し、時刻情報の取得が完了すると、受信回路３ｂへの受信開始信号の出力を停止して受信回路３ｂの動作を停止させるとともに、ＲＡＭ内に設けてある表示時刻修正時を意味する修正中フラグを“１”にし、計時回路１の計時時刻を取得した時刻情報に基づき時刻表示部８の表示時刻を修正する時刻修正動作等がある。なお、時刻表示部８の表示時刻の修正が終了すると、修正中フラグを“０”に戻す。アラームセットスイッチ５は、アラームのオン／オフ状態を設定する。アラーム部としての報知部６は、アラーム報知（アラーム出力）を行う。なお、報知部による報知は、音響や発光、振動等、適宜変更可能である。受信タイミング記憶回路７は、時刻情報を含む長波標準電波の受信タイミング（本例では、毎正時とする。）を記憶している。なお、時刻情報を含む長波標準電波の受信タイミングは、毎正時に限らず、適宜変更可能である。時刻表示部８は、時針８ａ、分針８ｂおよび秒針８ｃを備え、制御回路４の制御により計時回路１の計時時刻を表示する。指針駆動部９は時分針駆動モータ９ａ、秒針駆動モータ９ｂ、時分針位置検出回路９ｃおよび秒針位置検出回路９ｄ等を備える。時分針駆動モータ９ａは図示しない輪列を介して時針８ａと分針８ｂを駆動し、秒針駆動モータ９ｂは図示しない輪列を介して秒針８ｃを駆動する。時分針位置検出回路９ｃはフォトセンサ等を備え、時針８ａおよび分針８ｂとともに回転駆動する輪列（図示せず。）に設けてある透過穴が所定の位置（例えば１２時位置）に達したときに出力を発生する。秒針位置検出回路９ｄはフォトセンサ等を備え、秒針８ｃとともに回転駆動する輪列（図示せず。）に設けてある透過穴が所定の位置（例えば０秒位置）に達したときに出力を発生する。制御回路４には、時針８ａと分針８ｂの表示位置を記憶する時分針位置記憶部４ａと秒針８ｃの表示位置を記憶する秒針位置記憶部４ｂが設けてあり、時分針位置記憶部４ａは時分針駆動モータ９ａに出力される運針駆動信号に応じてカウント値が変動し、時分針位置検出回路９ｃの出力によりリセットされる。秒針位置記憶部４ｂは秒針駆動モータ９ｂに出力される運針駆動信号に応じてカウント値が変動し、秒針位置検出回路９ｄの出力によりリセットされる。操作部としての時分針送りスイッチ１０がワンプッシュされると、制御回路４は指針駆動部９を制御して時針８ａと分針８ｂを１ステップ（１分）運針し、所定時間（例えば３秒）以上押し続けられると指針駆動部９を制御して時針８ａと分針８ｂを早送りする。操作部としての秒針送りスイッチ１１がワンプッシュされると、制御回路４は指針駆動部９を制御して秒針８ｃを１ステップ（１秒）運針し、所定時間（例えば３秒）以上押し続けられると指針駆動部９を制御して秒針８ｃを早送りする。
【００１１】
なお、計時回路１、アラーム時刻記憶回路２、受信タイミング記憶回路７等は、制御回路４に内蔵するようにしても良い。また、計時回路１や時分針位置記憶部４ａ、秒針位置記憶部４ｂの機能を、制御回路４の動作プログラムに記憶させ、その動作プログラムに基づくソフトウエア処理としても良い。
【００１２】
【動作の説明】
アラームセットスイッチ５がオフ状態の際には、計時回路１の計時時刻が受信タイミング記憶回路７に記憶されている正時になると、制御回路４は、受信回路３ｂに受信開始信号を出力して受信回路３ｂを起動させ、受信部３が時刻情報を含む長波標準電波の受信を開始し、受信した長波標準電波から時刻情報を取得する。時刻情報の取得が完了すると、制御回路４は計時回路１の計時時刻を取得した時刻情報に基づき修正する。
【００１３】
計時回路１の計時時刻の修正が終了すると、制御回路４は修正中フラグを“１”にし、時分針位置記憶部４ａが記憶している時針８ａと分針８ｂの位置と計時回路１の計時時刻に応じた時針８ａと分針８ｂの位置とを比較し、その差に応じた分だけ時分針駆動モータ９ａに運針駆動信号を出力し、時針８ａと分針８ｂが表示する時刻を修正するとともに、制御回路４は秒針位置記憶部４ｂが記憶している秒針８ｃの位置と計時回路１の計時時刻に応じた秒針８ｃの位置とを比較し、その差に応じた分だけ秒針駆動モータ９ｂに運針駆動信号を出力し、秒針８ｃが表示する時刻を修正し、修正が終わったら通常の運針を行わせ、修正中フラグを“０”に戻す。
【００１４】
次に、アラームセットスイッチ５がオン状態の際に実行するアラーム割り込み処理を説明する。なお、アラームセットスイッチ５がオン状態であっても後述するアラーム割り込み処理が行われない状況では、上記と同様の時刻修正処理を行う。
【００１５】
計時回路１の計時時刻がアラーム時刻記憶回路２にアラーム時刻に記憶されたアラーム時刻になると、制御回路４はアラーム割り込み処理を実行し、受信回路３ｂにより時刻情報を含む長波標準電波の受信を行っているか判断し、受信中であれば制御回路４は報知部６からアラーム音を発生させる。なお、受信中か否かの判断は受信回路３ｂに受信開始信号を出力していれば受信中と判断し、受信開始信号を出力していなければ受信中でないと判断する。このとき、時刻表示部８は時針８ａ、分針８ｂおよび秒針８ｃにより計時回路１の計時時刻を表示しているので、使用者はアラーム音により時刻表示部８を確認しても現在時刻または現在時刻に近い時刻を確認可能となる。この際、すなわちアラーム発生時、制御回路４は時刻情報を含む長波標準電波の受信を停止する。このように、受信環境が悪化する可能性があるアラーム出力時に時刻情報を含む長波標準電波の受信を停止するので、アラーム出力により発生するノイズ等に起因し受信成功の確率が低い状況下での受信動作を抑制でき、無駄な受信動作を少なくできる。
【００１６】
アラーム時刻に、受信回路３ｂにより時刻情報を含む長波標準電波の受信を行っていない場合、制御回路４は時刻表示部８の表示時刻を修正中か否か判断し、時刻表示部８の表示時刻を修正中の場合には報知部６からのアラームを禁止して表示時刻の修正を継続させ、時刻表示部８の表示時刻を修正中でない場合には報知部７からアラーム音を発生させる。なお、時刻表示部８の表示時刻を修正中か否かの判断は、修正中フラグが“１”の場合は修正中と判断し、修正中フラグが“０”の場合は修正中でないと判断する。
【００１７】
このように、時刻情報を含む信号の受信中にアラーム時刻となった場合にはアラーム出力を優先して行わせ、時刻表示部の表示時刻の修正中にアラーム時刻となった場合にはアラーム出力を禁止するので、時刻情報を含む信号の受信中および時刻修正中において、指針位置が定まらない状態のときだけアラームを禁止でき、ユーザが現在時刻を誤認識したり、故障と勘違いしたりしてしまうことを防止できる。
【００１８】
また、制御回路４は、時分針送りスイッチ１０や秒針送りスイッチ１１が操作されて指針位置を修正している際にアラーム時刻となった場合には、報知部６からのアラーム出力を禁止して表示時刻の修正を継続する。
【００１９】
このように、操作部の操作に応じて時刻表示部の表示時刻が修正される際にアラーム出力を禁止するので、指針位置が定まらない状態のときだけアラームを禁止可能となり、ユーザが現在時刻を誤認識したり、故障と勘違いしてしまうことを防止できる。
【００２０】
また、上記実施例は、以下の発明も含む。複数の指針により現在時刻を表示する時刻表示部と、上記時刻表示部の表示時刻を修正する修正部と、予め設定されたアラーム時刻になった際にアラームを出力するアラーム部と、上記修正部による上記時刻表示部の表示時刻の修正中に上記アラーム時刻となった場合には上記アラーム出力を禁止する制御部とを含むことを特徴とするアラーム時計。このような構成によれば、従来のアラーム時計（ユーザによる時刻修正時にアラーム時刻となった場合にアラームを発生するアラーム時計）が有する問題点、すなわちユーザによる時刻修正時に必要性の低いアラームが発生してしまうという問題を解決可能となる。つまり、ユーザによる時刻修正は、表示時刻を正確な現在時刻に修正することがメインであり、アラーム音を確認する意図は非常に少なく、ユーザによる時刻修正時に発生するアラームの必要性は低い。
【００２１】
なお、上記では時針と分針と秒針を用いて時刻を表示するようにしたが、秒針を用いず時針と分針で用いて時刻を表示するようにしてもよい。
【００２２】
また、本発明は上記実施例にのみ限定されず、要旨を変更しない範囲で適宜変更して実施できる。
【００２３】
【発明の効果】
本発明によれば、時刻情報を含む信号の受信中にアラーム時刻となった場合にはアラーム出力を優先して行わせ、時刻表示部の表示時刻の修正中にアラーム時刻となった場合にはアラーム出力を禁止するので、時刻情報を含む信号の受信中および時刻修正中において、指針位置が定まらない状態のときだけアラームを禁止でき、ユーザが現在時刻を誤認識したり、故障と勘違いしてしまうことを防止できる。
【図面の簡単な説明】
【図１】本発明の一実施例を説明するためのブロック図。
【符号の説明】
３　　　受信部
４　　　修正部、制御部
６　　　アラーム部
８　　　時刻表示部
１０　　　操作部
１１　　　操作部
【図１】
2004028671.tif 000003